(57)【特許請求の範囲】
【請求項１】
電子機器の筐体の上面に表示ユニットを備えた表示ユニット付き電子機器において、
前記筐体に対して前記表示ユニットを水平姿勢と最大傾斜姿勢との間にて回動自在に支持する支持手段と、
前記表示ユニットを任意の傾斜姿勢にて保持する保持手段と
を備え、
前記保持手段は、
前記表示ユニットの回動を許容しつつ前記筐体から前記表示ユニットに亘って延びる支持脚と、
前記支持脚に対して相対的に摺接可能に押し付けられ且つ前記支持脚を介して前記表示ユニットの保持力を発生する弾性部材を備えた保持力発生装置と
を含み、
前記弾性部材は、前記表示ユニットが引き起こし方向に回動される際には前記保持力を減少させるべく弾性変形し、これに対し、前記表示ユニットが前記水平姿勢に向けて伏動される際には前記保持力を増大させるべく弾性変形するものであり、
前記保持力発生装置は、
前記弾性部材として、ゴム素材からなり且つ前記支持脚に対する押し付け面を有する角度キーパと、
前記角度キーパに形成され、前記角度キーパを前記押し付け面を有する壁部分と残りの本体部分とに前記壁部分の基部を残して分離する溝とを含み、
前記溝は、前記表示ユニットの伏動方向と対向する方向に開口していることを特徴とする表示ユニット付き電子機器。
【請求項２】
前記保持力発生装置は、少なくとも前記壁部分を除いて前記角度キーパを拘束する枠部材を更に含むことを特徴とする請求項１に記載の表示ユニット付き電子機器。
【請求項３】
前記支持脚は扇形状をなし、
外周に前記表示ユニットの回動中心と同心の一定幅を有した円弧面と、
前記円弧面の両側縁から延びる一対の側面と
を含み、
前記角度キーパは、
前記支持脚の前記円弧面及び前記一対の側面を三方から囲む略Ｕ字形状をなし、前記円弧面及び前記側面の少なくとも１つに対向する面に前記押し付け面を有する、複数の押圧パッドを有することを特徴とする請求項２に記載の表示ユニット付き電子機器。
【請求項４】
前記押し付け面を有する押圧パッドは、前記溝の深さ方向に延び且つ前記角度キーパの周方向に複数並んでいることを特徴とする請求項３に記載の表示ユニット付き電子機器。
【発明の詳細な説明】
【技術分野】
【０００１】
本発明は、表示ユニットを有する電話機等の電子機器に関し、より詳しくは、表示ユニットの角度を無段階に調整できる電子機器に関する。
【背景技術】
【０００２】
電話機等の電子機器の中には、その前面に液晶表示等の表示パネルを含む表示ユニットを備えたものがあり、通常、表示パネルは上方を向いた水平姿勢にあるが、表示パネルに表示された情報が見易くなるように表示ユニットの姿勢を水平姿勢から上方に向けて起こした傾斜姿勢に変更可能な機能を有する電子機器も知られている（例えば、特許文献１等）。
この特許文献１の電子機器は、機器本体に回動可能に取り付けられた表示ユニットと、表示ユニットを所定の傾斜角度で保持可能とした角度調整装置とを備えている。この角度調整装置は、表示ユニットの底面から下方に延びる支持脚としてリブと、機器本体に設けられ、前記リブの所定位置にて前記リブに係合支持可能なスライド部材とを含んでいる。詳しくは、前記リブには、複数の凸部が上下方向に間隔を存して設けられており、前記スライド部材が前記リブの所定の凸部と係合することにより、表示ユニットは、機器本体に対して所定の傾斜角度に保持される。
【０００３】
ところで、このような角度調整装置は、部品点数が多いため、電子機器の製造効率の低下及び製造コストの増加を招く。また、この角度調整装置では、表示ユニットの傾斜角度を段階的に調整できるに過ぎず、表示ユニットの傾斜角度を任意、つまり、無段階に調整することができない。
ここで、表示ユニットの傾斜角度を無段階で調整可能とした電子機器の１つの態様として、例えば、特許文献２に開示された電子機器が知られている。この電子機器は、筐体に回動自在に軸支された表示ユニットを備え、この表示ユニットの底面には円弧状のリブが二重にして一体に形成されている一方、筐体側にはリブ間に圧入されるゴム材製の制動片が設けられている。表示ユニットは、リブと制動片との接触により生じる摩擦力、即ち、保持力でもって任意の傾斜角度で保持されている。このような電子機器の場合、使用者は、前記保持力に抗して表示ユニットを起伏させることにより、表示ユニットを任意の傾斜角度に調整することができる。
【０００４】
ここで、表示ユニットの起伏操作の操作性は、前記保持力の強さの大小による。つまり、保持力が強いほど起伏操作はし難くなり、保持力が弱いほど起伏操作は容易になる。なお、特許文献２の電子機器の場合、表示ユニットの起伏の両方にてその保持力の強さは一定である。
【先行技術文献】
【特許文献】
【０００５】
【特許文献１】特開２００５−１７６１９７号公報
【特許文献２】特開２０００−１２４６２０号公報
【発明の概要】
【発明が解決しようとする課題】
【０００６】
ところで、近年、この種の電子機器は、その全体の小型化が進む一方で、より多くの情報を表示したり、また、表示された情報をより見易くしたりするために、表示ユニットは大型化する傾向にある。このため、表示ユニット自体の自重が増加し、この影響で、表示ユニットは水平姿勢に向けて倒れ易くなっている。よって、表示ユニットの角度を安定して維持するためには、表示ユニットの保持力の強さを増加させる必要がある。
【０００７】
また、表示ユニットの高機能化に伴い、表示ユニット自体に操作ボタンが取り付けられていたり、また、表示パネルに代えてタッチパネルを備えたタイプの電子機器もまた開発されている。このような電子機器の場合、操作ボタンやタッチパネルが押されると、表示パネルを倒す方向に力が加わるので、この点でも、保持力の強さをより増加することが望まれる。
しかしながら、以上のように保持力を強くすると、表示ユニットは特に、表示ユニットを引き起こす向きの操作がし難くなるといった不具合が生じる。
【０００８】
本発明は、上記のような事情に基づいてなされたものであり、その目的とするところは、簡単な機構で、傾斜姿勢から水平姿勢に伏せる方向の表示ユニットの姿勢変更に対しては十分な保持力を発揮する一方、水平姿勢から傾斜姿勢への表示ユニットの姿勢変更に対しては保持力を弱くし、表示ユニットを小さい力で簡単に引き起こすことができる表示ユニット付き電子機器を提供することにある。
【課題を解決するための手段】
【０００９】
上記目的を達成するために、本発明の表示ユニット付き電子機器は、電子機器の筐体の上面に表示ユニットを備えた表示ユニット付き電子機器において、前記筐体に対して前記表示ユニットを水平姿勢と最大傾斜姿勢との間にて回動自在に支持する支持手段と、前記表示ユニットを任意の傾斜姿勢にて保持する保持手段とを備え、前記保持手段は、前記表示ユニットの回動を許容しつつ前記筐体から前記表示ユニットに亘って延びる支持脚と、前記支持脚に対して相対的に摺接可能に押し付けられ且つ前記支持脚を介して前記表示ユニットの保持力を発生する弾性部材を備えた保持力発生装置とを含み、前記弾性部材は、前記表示ユニットが引き起こし方向に回動される際には前記保持力を減少させるべく弾性変形し、これに対し、前記表示ユニットが前記水平姿勢に向けて伏動される際には前記保持力を増大させるべく弾性変形するものであり、前記保持力発生装置は、前記弾性部材として、ゴム素材からなり且つ前記支持脚に対する押し付け面を有する角度キーパと、前記角度キーパに形成され、前記角度キーパを前記押し付け面を有する壁部分と残りの本体部分とに前記壁部分の基部を残して分離する溝とを含み、前記溝は、前記表示ユニットの伏動方向と対向する方向に開口していることを特徴とする（請求項１）。
【００１１】
より好ましくは、前記保持力発生装置は、少なくとも前記壁部分を除いて前記角度キーパを拘束する枠部材を更に含む構成とする（請求項２）。
【００１２】
具体的には、前記支持脚は扇形状をなし、外周に前記表示ユニットの回動中心と同心の一定幅を有した円弧面と、前記円弧面の両側縁から延びる一対の側面とを含み、前記角度キーパは、前記支持脚の前記円弧面及び前記一対の側面を三方から囲む略Ｕ字形状をなし、前記円弧面及び前記側面の少なくとも１つに対向する面に前記押し付け面を有する、複数の押圧パッドを有する構成とする（請求項３）。
【００１３】
ここで、好ましくは、前記押し付け面を有する押圧パッドは、前記溝の深さ方向に延び且つ前記角度キーパの周方向に複数並んでいる構成とする（請求項４）。
【発明の効果】
【００１４】
本発明によれば、表示ユニットを有する電子機器において、表示ユニットを無段階で任意の角度位置に保持することができ、しかも、表示ユニットを引き起こすときには、比較的小さい力で表示ユニットの移動ができ、表示ユニットを伏せるときには、十分な保持力を発揮できる。このため、表示ユニットが大型化しても、自重で倒れることは防止され、また、表示ユニットに設けられた操作ボタン等の操作を行っても表示ユニットが倒れず、所定角度を保てるので、ボタン操作に支障を来すことはない。
【００１５】
また、本発明においては、一方向には比較的大きな押圧力を発揮し、他方向には比較的小さい押圧力を発揮する角度キーパは、一体成形可能なゴム製であるので、製造が容易であり製造コスト削減に寄与する。しかも、本発明は、表示ユニットの無段階角度調整及び所定角度での十分な保持力の確保といった効果を少ない部品点数で実現しているので、その工業的価値は大きい。
【図面の簡単な説明】
【００１６】
【図１】実施形態に係る表示ユニット付き電話機を示す斜視図である。
【図２】図１の表示ユニットを背面側からみた斜視図である。
【図３】図１の表示ユニットの背面図である。
【図４】図２中のIV矢視図である。
【図５】図１の電話機における一部パーツを分解して示す斜視図である。
【図６】図５の角度キーパを拡大して示す斜視図である。
【図７】図６中のVII−VII線断面図である。
【図８】図６中のVIII−VIII線断面図である。
【図９】電話機の上面パネルの内面を一部省略する一方、その一部の円Ｐ内を拡大して示す斜視図である。
【図１０】図１の電話機の概略的な縦断面図である。
【図１１】図１０中の円Ｑ内を拡大して示し、表示ユニットを矢印Ａ方向へ移動させた際の角度キーパのヘッド壁側の押圧パッドの働きを説明するための図である。
【図１２】図１０中の円Ｑ内を拡大して示し、表示ユニットを矢印Ｂ方向へ移動させた際の角度キーパのヘッド壁側の押圧パッドの働きを説明するための図である。
【図１３】図１０の矢印Ａ方向に対応したＣ方向に表示ユニットを引き起こした際の角度キーパのサイド壁側の押圧パッドの働きを説明するための図である。
【図１４】図１０の矢印Ｂ方向に対応したＤ方向に表示ユニットを伏動させた際の角度キーパのサイド壁側の押圧パッドの働きを説明するための図である。
【発明を実施するための形態】
【００１７】
以下、図面を参照しながら、本発明に係る表示ユニット付き電子機器の一実施形態を説明する。
図１は、一実施形態である表示ユニット付き電話機２を示す。
【００１８】
この電話機２は機器本体としての筐体４を備え、この筐体４にはその上面左側部に送受話器６が持ち上げ可能に載置されている一方、その上面上部に表示ユニット８が配置されている。
筐体４はプラスチック材料から形成され、その上面を形成する上面パネル１０と、その底面部を形成するボトムケース１２とを備えている。なお、筐体４内には送受話器６以外の電話機能部品（図示しない）が収容されている。
【００１９】
ここで、上面パネル１０には、表示ユニット８の手前側の領域が矩形の操作エリア２０として確保され、この操作エリア２０にはダイヤルキー１４、局線ボタン１６、機能ボタン１８等が配置されている。そして、上面パネル１０には操作エリア２０の左側が送受話器６の受け座エリア２１として形成され、この受け座エリア２１は、送受話器６の受話部及び送話部を受ける一対の凹部２４，２４に加えてこれら凹部２４間に円形のスピーカグリル２６を有し、このスピーカグリル２６はマトリックス状に分布された多数の孔からなる。なお、筐体４内にはスピーカグリル２６の下方にスピーカが配置されている。
【００２０】
表示ユニット８は、扁平な箱形状をなすユニット本体２８と、図１でみてユニット本体２８の下縁に設けられた連結部３０とを有する。この連結部３０は円柱形状をなし、ユニット本体２８の下縁両端を除き、その下縁に沿ってユニット本体２８の幅方向に延びている。後述するようにユニット本体２８が連結部３０を介して筐体４に回動自在に取り付けられたとき、連結部３０の中心軸線はユニット本体８の回動中心軸を規定する。
【００２１】
ユニット本体２８は、互いに填め合わされたフロントケース３４及びリアケース３６からなり、図１から明らかなように、フロントケース３４にはその中央に矩形の液晶表示器３８が配設され、そして、この液晶表示器３８の左右に操作ボタン４０が３個ずつ設けられている。
【００２２】
図２から明らかなように、前記連結部３０はフロントケース３４の下縁に設けられる一方、リアケース３６の対応する下縁には膨出部４２が設けられている。この膨出部４２は、連結部３０に隣接し且つ連結部３０に沿って延びている。膨出部４２は、リアケース３６の背面側に突出するような円弧形状の背面を有し、この背面の曲率中心は、連結部３０の中心軸線上に位置付けられている。
【００２３】
更に、膨出部４２の中央には、膨出部４２からリアケース３６の背面に至る支持脚４４が設けられ、この支持脚４４は、リアケース３６及び膨出部４２の背面側から突出している。この支持脚４４は、リアケース３６の側方からみて略扇形状をなしている。詳しくは、支持脚４４の背面４６は、リアケース３６及び膨出部４２のそれぞれに隣接する部位を除いて円弧面に形成され、一定の幅を有している。なお、背面４６における円弧面の曲率中心もまた連結部３０の中心軸線上に位置付けられている。
【００２４】
また、図３及び図４に示すように、支持脚４４はその背面４６及びリアケース３６の背面５０に向けて僅かに先細状をなしている。即ち、支持脚４４の両側面は背面４６に向けて互いに近接するように傾斜している一方、リアケース３６の背面５０に向けて互いに近接するように傾斜している。つまり、支持脚４４は、背面４６と、一対の傾斜側面４８とから形成され、傾斜側面４８は対応する側の背面４６の側縁から延び、リアケース３６の背面５０及び膨出部４２に至っている。
【００２５】
また、図２乃至４から明らかなように、膨出部４２の外周には、支持脚４４を挟む両側に２個ずつの掛止爪５２が設けられている。これら掛止爪５２は、上面パネル１０の対応するスロット６６に対して抜き差し自在に係合し、ユニット本体２８の最大傾斜角を決定するストッパの役割を果たす。
具体的には、ユニット本体２８の最大傾斜角は掛止爪５２が上面パネル１０の内面に当接することで決定される。
【００２６】
なお、ユニット本体２８の傾斜角が最小であるとき、即ち、ユニット本体２８が水平姿勢にあるときは、ユニット本体２８の背面は上面パネル１０に当接した状態にある。また、ユニット本体２８内には、液晶表示器３８を機能させる機能部品（図示せず）が収容されている。また、図２、図３中、参照符号５４、５６はフロント及びリアケース３４，３６を互いに分離可能に結合するためのねじ孔及びねじを示す。
【００２７】
次に、上面パネル１０について図５を参照して更に詳述する。
上面パネル１０は、表示ユニット８、即ち、ユニット本体２８のための一対の支持部５８を一体に備えている。これら支持部５８は操作エリア２０の上端部両側にそれぞれ配置され、互いに対向した対向面をそれぞれ有する。各支持部５８の対向面からは回動軸６０が突設され、これら回動軸６０は互いに同軸上に位置付けられている。一方、前述したユニット本体２８の連結部３０は、その両端に軸受穴３２をそれぞれ有する。それ故、一対の支持部５８間にて連結部３０を挟み込むように配置し、この連結部３０の軸受穴３２に対応する側の支持部５８の回動軸６０をそれぞれ差し込ませることで、ユニット本体２８は一対の支持部５８に回動軸６０を介して回動自在に支持されている（図１参照）。
【００２８】
また、上面パネル１０の上部には、半円筒状の凹部６２が形成されている。この凹部６２は一方の支持部５８から他方の支持部５８に亘って延び、その軸線は回動軸６０の軸線よりも上面パネル１０の上縁側にオフセットして位置付けられている。凹部６２は、ユニット本体２８の膨出部４２を受入れ可能な大きさを有する。
【００２９】
凹部６２の中央には、凹部６２を横断し且つ上面パネル１０の上縁に向けて延びる出入り口６４が設けられており、この出入り口６４はユニット本体２８の支持脚４４を受入れ、ユニット本体２８の回動に伴う支持脚４４の突没を許容する大きさを有する。更に、凹部６２には出入り口６４の左右に前記したユニット本体２８の掛止爪５２の差込みを許容するスロット６６が２個ずつ設けられている。
出入り口６４は、支持脚４４の横断面形状に合致するように上面パネル１０の上縁に向けて先細りの略等脚台形をなしている。
【００３０】
出入り口６４には上面パネル１０の裏面側から角度キーパ６８が嵌め込まれている。この角度キーパ６８は、ゴム素材、好ましくは、シリコーンゴムからなる。
角度キーパ６８は略Ｕ字形状をなし、出入り口６４の上底側の部位に嵌め込まれている。より詳しくは、図６に示すように、角度キーパ６８は一対のサイド壁７０及びこれらサイド壁７０の基部を互いに連結するヘッド壁７２を有する。一対のサイド壁７０の間の間隔はサイド壁７０の基端から先端に向かうに従い徐々に広がっている。
【００３１】
そして、角度キーパ６８の内面には、複数の押圧パッド７６が一体に形成されており、これら押圧パッド７６は、前述した支持脚４４が出入り口６４内に受入れられたとき、前述した支持脚４４の突没を許容しつつ支持脚４４の外面を押圧する。即ち、押圧パッド７６は支持脚４４の外面に対して相対的に摺接する部材である。
詳しくは、各押圧パッド７６は角度キーパ６８の厚み方向に延びる断面円弧状の突条であり、角度キーパ６８の周方向に間隔を存して配置されている。それ故、角度キーパ６８の内周面は、全体として凹凸形状となっている。
【００３２】
上述した押圧パッド７６は、支持脚４４に対する角度キーパ６８の接触面積、即ち、角度キーパ６８から支持脚４４に加えられる押圧力を決定する。本実施形態では、押圧パッド７６は、各サイド壁７０に３個、ヘッド壁７２に２個存在する。なお、この押圧パッド７６の形状や個数は任意に変更することができ、これにより、支持脚４４に加える押圧力を調整することができる。
【００３３】
更に、図７及び図８に示すように、角度キーパ６８には凹溝７８が備えられている。この凹溝７８は、出入り口６４から支持脚４４が突出する側の角度キーパ６８の上面９２に形成され、角度キーパ６８の内周面に沿って延びるとともに、その両サイド壁７０の先端にて開口している。このような凹溝７８は、角度キーパ６８を、前述した押圧パッド７６を有したパッド分離壁部７９と、このパッド分離壁部７９以外のキーパ本体とに部分的に分離し、パッド分離壁部７９は角度キーパ６８の下面側にてキーパ本体、即ち、対応する側のサイド壁７０及びヘッド壁７２に連なっている。
【００３４】
上述した角度キーパ６８は、前述したように出入り口６４の上底側の部位、即ち、図９に示す装着スペース８０に装着される。
詳しくは、図９中の拡大部分から明らかなように、装着スペース８０は上面パネル１０の内面側にて確保され、その外郭が出入り口６４の上底部位を外側から囲む略Ｕ字形状の周壁８２と、この周壁８２の両端から出入り口６４に向けて突出した一対の仕切り壁８８とにより形成され、装着スペース８０の外郭形状及びこの外郭形状に対応した出入り口６４の部位の開口縁は互いに協働して角度キーパ６８のＵ字形状にほぼ合致したＵ字形状を提供する。
【００３５】
更に、装着スペース８０はヘッド押さえ８６を備えており、このヘッド押さえ８６は出入り口６４の上底側に位置した周壁８２の部位８４から出入り口６４の上底に向けてせり出している。
【００３６】
それ故、装着スペース８０に角度キーパ６８が装着されたとき、角度キーパ６８はその上面９２が上面パネル１０の内面に接した状態で、出入り口６４の上底側の部位を囲むようにして装着され、そして、そのヘッド壁７２は上面パネル１０とヘッド押さえ８６との間に挟み込まれている。
【００３７】
一方、装着スペース８０に装着された角度キーパ６８は上面パネル１０とは反対側の下面が回路基板により支持されている。詳しくは、ここでの回路基板は図５中、参照符号９６で示されており、この回路基板９６は筐体４内に収納されている。回路基板９６の外縁には出入り口６４に対応した切欠９８が形成されている。この切欠９８は支持脚４４の通過を許容する大きさを有し、回路基板９６は切欠９８における開口縁の近傍領域にて角度キーパ６８の下面９４を支持する。
この結果、角度キーパ６８は、上面パネル１０の内面９０と回路基板９６とにより上下から挟まれた状態にある。
【００３８】
次に、上述した表示ユニット８（ユニット本体２８）の起伏動作についてより詳しく説明する。
先ず、表示ユニット８の支持脚４４の外面には角度キーパ６８がその押圧パッド７６を介して押し付けられた状態にあり、ここでの押し付けは押圧パッド７６の弾性変形に伴う所定の押圧力、即ち、保持力を支持脚４４に付与する。
【００３９】
このような状態にて、使用者が表示ユニット８に手を掛け、表示ユニット８を前記保持力に抗して手前に引き付けるか、又は、奥側に押し倒すと、表示ユニット８はその回動軸線の回りに回動して起伏し、これにより、表示ユニット８の姿勢を所望の傾斜角度を存した傾斜姿勢又は水平姿勢に変更することができる。
【００４０】
ここで、例えば、図１０中の矢印Ａ方向へ表示ユニット８が引き起こされる場合、図１１を参照しながら、角度キーパ６８の働きを以下に説明する。
図１１は、支持脚４４の円弧状の背面４６に対する押圧パッド７６の摺接状態を示し、ここでの押圧パッド７６は、角度キーパ６８におけるヘッド壁７２に設けられているものである。
表示ユニット８がＡ方向へ移動する場合、支持脚４４の背面４６は図１１中、矢印ａ方向（図１１でみて上方）に移動し、ここでの移動は押圧パッド７６を同じくａ方向に引き摺る。
【００４１】
角度キーパ６８には前述したようにその上面に凹溝７８が設けられているので、押圧パッド７６の上方への引き摺りは、図１１中の二点鎖線の状態から実線の状態で示すように凹溝７８側へ押圧パッド７６の上部を弾性変形させる。つまり、押圧パッド７６の上部は支持脚４４から逃げるように変形し、支持脚４４の背面４６に加えられる押圧パッド７６の押圧力、即ち、支持脚４４の保持力が低減される。この結果、表示ユニット８を引き起こす方向（Ａ方向）へ動かす際、表示ユニット８に要求される引き起こし力は比較的小さい。
【００４２】
一方、図１０中の矢印Ｂ方向へ表示ユニット８を伏動させる場合の角度キーパ６８の働きは図１１と同様な部位を示した図１２から明らかとなる。
この場合、表示ユニット８がＢ方向へ移動する場合、支持脚４４の背面４６は図１２中の矢印ｂ方向に移動し、この移動に伴い、押圧パッド７６は下方へ引き摺られる。角度キーパ６８におけるヘッド壁７２の下部はその下面に開口するような凹溝を備えておらず、実質的に中実であり、しかも、押圧パッド７６側の面を除き、上面パネル１０の内面、装着スペース８０の周壁８２及びヘッド押さえ８６により拘束された状態にあることから、押圧パッド７６の下方への引き摺りは、二点鎖線の状態から実線の状態で示すように押圧パッド７６の下部を膨出させるように弾性変形させ、ここでの弾性変形は押圧パッド７６の下部をより強く支持脚４４の背面４６に押し付けることになる。
【００４３】
この結果、押圧パッド７６による支持脚４４の保持力が増大し、Ｂ方向への表示ユニット８の移動、即ち、水平姿勢に向かう表示ユニット８の伏動には、前述の引き起こし力に比べて大きな押し倒し力が要求される。
【００４４】
図１３及び図１４は、支持脚４４の傾斜側面４８に対する押圧パッド７６の摺接状態を示し、ここでの押圧パッド７６は角度キーパ６８におけるサイド壁７０に設けられているものである。
【００４５】
ここで、図１３に示すように、表示ユニット８を引き起こす方向へ移動すると、支持脚４４は、矢印Ｃ方向へ移動する。この移動に伴い、押圧パッド７６は上方へ引き摺られる。このとき、押圧パッド６８の上部は前述の場合と同様に凹溝７８側へ変形し、支持脚４４の保持力が低減される。この結果、使用者は表示ユニット８を比較的小さな力で引き起こすことができる。
【００４６】
一方、図１４に示すように、表示ユニット８をその水平姿勢に向けて伏動させると、支持脚４４は、矢印Ｄ方向へ移動する。この移動に伴い。押圧パッド７６は前述の場合と同様に、下方へ引き摺られる。ここでも、角度キーパ６８のサイド壁７０はその押圧パッド７６側の面を除き、上面パネル１０の内面、装着スペース８０の周壁８２及び回路基板９６により拘束されているから、押圧パッド７６の下部は膨出するように弾性変形し、支持脚４４の傾斜側面４８に強く押し付けられる。この結果、支持脚４４の保持力が増大され、表示ユニット８の伏動にはその引き起こし力に比べて大きな押し倒し力が要求される。
【００４７】
以上のように、本発明における表示ユニット８の引き起しは、小さな力でなすことができるのに対し、表示ユニット８の伏動には引き起こし力に比べて大きな押し倒し力が要求される。このため、表示ユニット８が大形化し、その自重が重くなっても、表示ユニット８を所望の傾斜姿勢にて安定して保持することができる。また、表示ユニット８に付随する操作ボタン４０やタッチパネルに対し、使用者が押込み又はタッチ操作を行っても、表示ユニット８の押し倒しに対する抵抗が大きいので、ここでの押込み又はタッチ操作により表示ユニット８が不所望にして押し倒されることなく、その操作が阻害されることはない。
また、上述した表示ユニット８の作用は、凹溝７８を有するゴム製の角度キーパ６８に凹溝７８を形成するだけでもたらされることから、表示ユニット８の構成は簡単になり、その部品点数も少なくて済み、結果的に電話機の製造コストの削減に大きく寄与する。
【００４８】
なお、本発明は上述の一実施形態に制約されるものではなく、種々の変形が可能である。
例えば、角度キーパ６８の凹溝７８はその溝形状に限られるものではないし、また、角度キーパ６８の内周全域に亘って延びる必要もない。
更に、押圧パッド７６は必要不可欠なものではなく、角度キーパ６８に押圧パッド７６を設けるにしても、押圧パッド７６は少なくともサイド壁７２及びヘッド壁７０の一方にあればよい。
【符号の説明】
【００４９】
２            電話機
４            筐体
６            送受話器
８            表示ユニット
１０          上面パネル
１２          ボトムケース
２８          ユニット本体
３０          連結部
４０          操作ボタン
４４          支持脚
４６          背面
４８          傾斜側面
５０          背面
５２          掛止爪
６０          回動軸
６２          凹部
６４          出入り口
６６          スロット
６８          角度キーパ
７０          サイド壁
７２          ヘッド壁
７６          押圧パッド
７８          凹溝
８０          装着スペース
８６          ヘッド押さえ
９６          回路基板
９８          切欠
【図１】
0005472631.tif 000002
【図２】
0005472631.tif 000003
【図３】
0005472631.tif 000004
【図４】
0005472631.tif 000005
【図５】
0005472631.tif 000006
【図６】
0005472631.tif 000007
【図７】
0005472631.tif 000008
【図８】
0005472631.tif 000009
【図９】
0005472631.tif 000010
【図１０】
0005472631.tif 000011
【図１１】
0005472631.tif 000012
【図１２】
0005472631.tif 000013
【図１３】
0005472631.tif 000014
【図１４】
0005472631.tif 000015